(57)【要約】【課題】  本発明の目的は、ユーザの負担をより低減することが可能な電子機器、投写型表示装置及びその制御方法を提供することである。【解決手段】  プロジェクタ１００が、リモートコントローラ１２０からの信号を取得する第１の受信部１０７と、投写画像を撮影するカメラ２００からの信号を取得する第２の受信部１０９と、を備える。さらに、プロジェクタ１００は、第２の受信部１０９がカメラ２００からの信号が所定の状態にある場合に、第１の受信部１０７による取得結果に基づいてプロジェクタ１００を制御する処理部１０８を備える。【選択図】  図２
2016115993.tif 000002
【特許請求の範囲】
【請求項１】
外部からの信号を無線で取得可能な電子機器であって、
第１の入力手段であるリモートコントローラからの信号を取得する第１の取得手段と、
前記リモートコントローラとは異なる第２の入力手段からの信号を取得する第２の取得手段と、
前記第２の入力手段からの信号が所定の状態にある場合に、前記第１の取得手段による取得結果に基づいて前記電子機器を制御する制御手段と、を備える、
ことを特徴とする電子機器。
【請求項２】
前記第２の取得手段が前記第２の入力手段からの信号を取得してからの時間を取得する第３の取得手段をさらに備え、
前記制御手段は、前記第３の取得手段による取得結果が所定の時間以内であり、かつ、前記第１の取得手段が前記リモートコントローラからの信号を取得した場合に、前記リモートコントローラからの信号に基づいて前記電子機器を制御し、
前記第２の取得手段は、前記第３の取得手段による取得結果が所定の時間を超え、かつ、前記第１の取得手段が前記リモートコントローラからの信号を取得しなかった場合に、前記第２の入力手段からの信号を取得する、
ことを特徴とする請求項１に記載の電子機器。
【請求項３】
被投写面に投写画像を表示する投写型表示装置であって、
リモートコントローラからの信号を取得する第１の取得手段と、
前記投写画像を撮影する撮影手段からの信号を取得する第２の取得手段と、
前記撮影手段が所定の状態にある前記投写画像を撮影した場合に、前記リモートコントローラからの信号に基づいて前記投写型表示装置を制御する制御手段と、を備える、
ことを特徴とする投写型表示装置。
【請求項４】
前記制御手段は、前記第２の取得手段が、前記投写画像のうち所定の領域が前記所定の状態にあることを取得した場合に、前記リモートコントローラからの信号に基づいて前記投写型表示装置を制御する、
ことを特徴とする請求項３に記載の投写型表示装置。
【請求項５】
前記投写型表示装置が、前記投写型表示装置からの第１の投写画像と、前記投写型表示装置とは異なる第２の投写型表示装置からの第２の投写画像とが、前記被投写面に表示されていることを示す情報と、前記第１の投写画像と前記第２の投写画像との少なくとも一部が重なっていることを示す情報と、を取得し、
前記第１の投写画像と前記第２の投写画像との少なくとも一部が重なっている領域を重畳領域とするとき、前記第２の取得手段が、前記重畳領域の所定の領域が前記所定の状態にあることを示す情報を取得した場合に、
前記制御手段は、前記リモートコントローラからの信号に基づいて前記投写型表示装置を制御する、
ことを特徴とする請求項３に記載の投写型表示装置。
【請求項６】
前記投写型表示装置が、前記投写型表示装置からの第１の投写画像と、前記投写型表示装置とは異なる第２の投写型表示装置からの第２の投写画像とが、前記被投写面に表示されていることを示す情報と、前記第１の投写画像と前記第２の投写画像との一部が重なっていることを示す情報と、を取得し、
前記重なっている領域を重畳領域とし、前記第２の取得手段が、前記第１の投写画像のうち前記重畳領域を除く領域が前記所定の状態にあることを示す情報を取得した場合に、
前記制御手段は、前記リモートコントローラからの信号に基づいて前記投写型表示装置を制御する、
ことを特徴とする請求項３に記載の投写型表示装置。
【請求項７】
前記撮影手段が前記所定の画像を取得してからの時間を取得する第３の取得手段をさらに備え、
前記制御手段は、前記第３の取得手段による取得結果が所定の時間以内であり、かつ、前記第１の取得手段が前記リモートコントローラからの信号を取得した場合に、前記リモートコントローラからの信号に基づいて前記投写型表示装置を制御し、
前記撮影手段は、前記第３の取得手段による取得結果が所定の時間を超え、かつ、前記第１の取得手段が前記リモートコントローラからの信号を取得しなかった場合に、前記第２の取得手段は前記撮影手段からの信号を取得する、
ことを特徴とする請求項３乃至６のいずれか１項に記載の投写型表示装置。
【請求項８】
前記所定の状態は所定の画像が表示されている状態である、
ことを特徴とする請求項３乃至７のいずれか１項に記載の投写型表示装置。
【請求項９】
前記所定の画像はレーザーポインタからの光によるものである、
ことを特徴とする請求項８に記載の投写型表示装置。
【請求項１０】
前記レーザーポインタは前記リモートコントローラと一体に構成されている、
ことを特徴とする請求項９に記載の投写型表示装置。
【請求項１１】
前記撮影手段は前記投写型表示装置と一体に構成されている、
ことを特徴とする請求項３乃至１０のいずれか１項に記載の投写型表示装置。
【請求項１２】
外部からの信号を無線で取得可能な電子機器を制御する制御方法であって、
第１の入力手段であるリモートコントローラからの信号を取得する第１の取得ステップと、
前記リモートコントローラとは異なる第２の入力手段からの信号を取得する第２の取得ステップと、
前記第２の取得ステップで前記第２の入力手段からの信号を取得した場合に、前記第１の取得ステップによる取得結果に基づいて前記電子機器を制御する制御ステップと、を備える、
ことを特徴とする制御方法。
【請求項１３】
前記第２の取得ステップで前記第２の入力手段からの信号を取得した場合に、前記第２の取得ステップで前記第２の入力手段からの信号を取得してからの時間を取得する第３の取得ステップと、
前記第３の取得ステップによる取得結果が、所定の時間以内であるかどうかを判断する判断ステップと、をさらに備え、
前記判断ステップによって前記第３の取得ステップによる取得結果が前記所定の時間以内であると判断され、かつ、前記第１の取得ステップで前記リモートコントローラからの信号を取得した場合には、前記制御ステップは、前記第１の取得ステップによる取得結果に基づいて前記電子機器を制御し、
前記判断ステップによって前記第３の取得ステップによる取得結果が前記所定の時間を超えたと判断され、かつ、前記第１の取得ステップが前記リモートコントローラからの信号を取得しなかった場合には、前記第２の取得ステップは前記第２の入力手段からの信号を再び取得する、
ことを特徴とする請求項１２に記載の制御方法。
【請求項１４】
第１の投写型表示装置と第２の投写型表示装置とを制御する制御方法であって、
リモートコントローラからの信号を取得する第１の取得ステップと、
前記第１の投写型表示装置からの第１の投写画像と、前記第２の投写型表示装置からの第２の投写画像とを撮影する撮影ステップと、
前記撮影ステップによる撮影結果が所定の結果であるかどうかを判断する第１の判断ステップと、
前記第１の判断ステップによって前記撮影ステップによる撮影結果が所定の結果であると判断された場合に、前記第１の取得ステップによる取得結果に基づいて前記第１の投写型表示装置あるいは前記第２の投写型表示装置の少なくとも一方を制御する制御ステップと、を備える、
ことを特徴とする制御方法。
【請求項１５】
前記第１の判断ステップによって、前記撮影ステップによる前記第１の投写画像あるいは前記第２の投写画像の所定の領域の撮影結果が前記所定の結果であると判断された場合に、前記制御ステップは、前記第１の取得ステップによる取得結果に基づいて前記第１の投写型表示装置あるいは前記第２の投写型表示装置の少なくとも一方を制御する、
ことを特徴とする請求項１４に記載の制御方法。
【請求項１６】
前記第１の投写型表示装置及び前記第２の投写型表示装置の少なくとも一方にスタック投影を行うことを伝える第１の伝達ステップと、
前記第１の投写画像と前記第２の投写画像との少なくとも一部が重なっている領域を重畳領域とするとき、前記撮影ステップによる前記重畳領域の所定の領域の撮影結果が前記所定の結果である場合に、前記制御ステップは、前記第１の投写型表示装置及び前記第２の投写型表示装置のうち、前記所定の領域に対応する方を制御する、
ことを特徴とする請求項１４に記載の制御方法。
【請求項１７】
前記第１の投写型表示装置及び前記第２の投写型表示装置の少なくとも一方にマルチ投影を行うことを伝える第２の伝達ステップと、
前記第１の投写画像と前記第２の投写画像との少なくとも一部が重なっている領域を重畳領域とするとき、
前記撮影ステップによる前記重畳領域を除く前記第１の投写画像の撮影結果が前記所定の結果である場合に、前記制御ステップは前記第１の投写型表示装置を制御し、
前記撮影ステップによる前記重畳領域を除く前記第２の投写画像の撮影結果が前記所定の結果である場合に、前記制御ステップは前記第２の投写型表示装置を制御する、
ことを特徴とする請求項１４に記載の制御方法。
【請求項１８】
前記第１の判断ステップは、前記第１の投写画像あるいは前記第２の投写画像上にレーザーポインタからの画像が表示されているかどうかを判断する、
ことを特徴とする請求項１４乃至１７のいずれか１項に記載の制御方法。
【発明の詳細な説明】
【技術分野】
【０００１】
本発明は電子機器、投写型表示装置及びその制御方法に関し、特にリモートコントローラからのコードを受信可能な電子機器、投写型表示装置及びその制御方法に関する。
【背景技術】
【０００２】
近年、プロジェクタ（投写型表示装置）は机上だけではなく、机の下や天井等のユーザが直接操作しにくい場所に設置されているため、リモートコントローラからのコードを受信可能なプロジェクタが多く開発されている。
【０００３】
一方、プロジェクタを１台だけ用いるのではなく、複数のプロジェクタからの画像を連結してより大きな画像を表示するマルチ投影や、複数のプロジェクタからの画像を重ねる表示するスタック投影といった使用方法が提案されている。
【０００４】
しかしながら、複数のプロジェクタを１台のリモートコントローラで操作する場合、操作したいプロジェクタ以外が動作してしまうおそれがある。
【０００５】
このような問題を解決可能な構成として、特許文献１に記載された構成が知られている。
【０００６】
特許文献１では、複数のプロジェクタに互いに異なる番号を付与し、ユーザがリモートコントローラから発する番号を選択することで、リモートコントローラからの番号と付与された番号とが一致したプロジェクタのみが動作する技術が開示されている。
【先行技術文献】
【特許文献】
【０００７】
【特許文献１】特開２００７−２７４６６２号公報
【発明の概要】
【発明が解決しようとする課題】
【０００８】
前述の特許文献１に記載の構成を用いることにより、前述の複数のプロジェクタを１台のリモートコントローラで操作する場合、操作したいプロジェクタ以外が動作してしまうことを抑制することが可能となる。
【０００９】
しかしながら、前述の特許文献１に開示された構成では、ユーザが操作したいプロジェクタを変更する場合には、ユーザはリモートコントローラから発する番号を再度選択する必要がある。
【００１０】
すなわち、ユーザがリモートコントローラを用いて行う操作が複雑になり、ユーザの負担が増加するおそれがある。
【００１１】
そこで、本発明の目的は、ユーザの負担をより低減することが可能な電子機器、投写型表示装置及びその制御方法を提供することである。
【課題を解決するための手段】
【００１２】
上記目的を達成するために、本発明の電子機器は、
外部からの信号を無線で取得可能な電子機器であって、
第１の入力手段であるリモートコントローラからの信号を取得する第１の取得手段と、
前記リモートコントローラとは異なる第２の入力手段からの信号を取得する第２の取得手段と、
前記第２の入力手段からの信号が所定の状態にある場合に、前記第１の取得手段による取得結果に基づいて前記電子機器を制御する制御手段と、を備える、
ことを特徴とする。
【発明の効果】
【００１３】
本発明によれば、ユーザの負担をより低減することが可能な電子機器、投写型表示装置及びその制御方法を提供することができる。
【図面の簡単な説明】
【００１４】
【図１】本発明の実施例に関する投写型表示装置の光学的な構成を示す図。
【図２】本発明の実施例に関する投写型表示装置のブロック図。
【図３】本発明の第１実施例に関する概略図。
【図４】本発明の第１実施例に関するリモートコントローラ操作に伴う処理手順を示すフローチャート。
【図５】本発明の第２実施例に関するリモートコントローラ操作に伴う処理手順を示すフローチャート。
【図６】本発明の第３実施例に関する概略図。
【図７】本発明の第３実施例に関するリモートコントローラ操作に伴う処理手順を示すフローチャート。
【図８】本発明の第４実施例に関する概略図。
【図９】本発明の第４実施例に関するリモートコントローラ操作に伴う処理手順を示すフローチャート。
【図１０】本発明の第５実施例に関する概略図。
【図１１】本発明の第５実施例に関するリモートコントローラ操作に伴う処理手順を示すフローチャート。
【図１２】本発明の実施形態の変形例に関する概略図。
【発明を実施するための形態】
【００１５】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、構成部品の相対位置などは、この発明の範囲を以下の実施の形態に限定する趣旨で規定されたものではない。
【００１６】
〔投写型表示装置の構成の説明〕
図１を用いて本発明の各実施例におけるプロジェクタ１００の光学的な構成を説明する。
【００１７】
１０４は、発光管と放物面鏡からなる光源部であり、本発明の実施例においてはいわゆる水銀ランプである。光源部１０４からの光束は、不図示の照明光学系を介して、ダイクロイックミラーＤＭ、偏光ビームスプリッタＰＢＳ、ダイクロイックプリズムＤＰ等により構成される色分離合成系４に入射する。
【００１８】
なお、不図示の照明光学系は、複数のフライアイレンズアレイ、偏光変換素子、コンデンサーレンズ等により構成されており、光源部１０４からの光束を後述の色分離合成系４へ導く。
【００１９】
また、偏光変換素子は、光源部１０４が光束を出射する際に、光源部１０４からの無偏光光を特定の偏光方向を有する偏光光に変換するように構成されている。
【００２０】
ダイクロイックミラーＤＭおよび偏光ビームスプリッタＰＢＳによって光源部１０４からの光束はＲ，Ｇ，Ｂの３色の光に分解されて不図示の液晶パネル（光変調素子）に導かれる。そして、ダイクロイックプリズムＤＰで液晶パネルからの光束を合成する。
【００２１】
不図示の液晶パネルは、プロジェクタ１００に外部から入力された画像信号に応じた原画を形成し、画像信号に応じて液晶パネルに入射した光を変調する。液晶パネルによって変調された光である変調光は、偏光ビームスプリッタＰＢＳを介して、ダイクロイックプリズムＤＰに入射する。
【００２２】
ダイクロイックプリズムＤＰは、入射したＲＧＢ３色の変調光を合成して、投写レンズ（投写光学系）１０６に導く。投写レンズ１０６は、合成されたＲＧＢ３色の変調光をスクリーンなどの被投写面ＳＣに導く。これにより、画像信号に対応する投写画像が被投写面ＳＣ上に表示される。
【００２３】
〔第１実施例〕
以下、図２から図４を参照して、本発明の第１実施例について説明する。
【００２４】
図２は図１で示したプロジェクタ（投写型表示装置）１００のブロック図である。
【００２５】
入力信号処理部１０１はＰＣ１３０からの画像信号を受け、画像処理部１０２では、画像信号に画像処理を施した画像情報をパネル駆動部１０３へ送信する。
【００２６】
光源部１０４からの光は、パネル駆動部１０３によって駆動された液晶パネル１０５によって変調され、投写レンズ１０６を介してスクリーンに投写される。
【００２７】
さらに、プロジェクタ１００は、リモートコントローラ１２０の信号を受信する第１の受信部１０７を備える。なお、第１の受信部１０７を赤外光受信機として説明するが、赤外光受信機に限らず、無線信号受信機などの信号を受信可能なものであればかまわない。
【００２８】
また、プロジェクタ１００は、任意の位置を指示するレーザーポインタなどのポインティングデバイスに関する情報を取得する第２の受信部１０９を備える。より具体的には、第２の受信部１０９はカメラ２００が撮影したレーザーポインタからの光による投写画像上の画像に関する情報を取得する。
【００２９】
なお、第２の受信部１０９はカメラ２００が撮影したレーザーポインタからの光による投写画像上の画像に関する情報を取得するものと説明するが、第２の受信部１０９の構成はこれに限定されるものではない。
【００３０】
第２の受信部１０９は、カメラ２００が撮影したレーザーポインタからの光による投写画像上の画像に関する情報を取得するのではなく、カメラ２００が撮影した投写画像上の特定の画像に関する情報を取得する構成であってもよい。
【００３１】
さらに、第２の受信部１０９は、リモートコントローラと異なる入力手段からの信号を取得可能な構成であれば良く、例えば、第２の受信部１０９はマイクなどの集音器からの信号を取得する構成であってもよい。
【００３２】
処理部１０９は、第１の受信器１０７で受信した情報と、第２の受信器１０９で受信した情報から実行すべき処理を決定し、決定した処理を実行する制御手段である。
【００３３】
図３は本実施例の概略図である。なお、図３にはプロジェクタ１００のみを図示しているが、本実施例では、プロジェクタ１００以外に複数のプロジェクタがあり、複数のプロジェクタを一つのリモートコントローラ１２０で操作する場合を想定している。
【００３４】
ユーザはリモートコントローラ１２０を用いてプロジェクタ１００を操作することが可能であり、具体的には、ユーザがリモートコントローラ１２０の特定の操作に対応するボタンを押下すると、特定の操作に対応するコードがプロジェクタ１００へ送信される。
【００３５】
プロジェクタ１００が投写画像１３１の投写を行っている際、ユーザが不図示のレーザーポインタによりポインタ１３２を投写画像１３１上に表示していると、プロジェクタ１００はリモートコントローラ１２０からのコードに対応した処理を実行する。
【００３６】
図４を用いて、リモートコントローラ操作に伴う処理について説明する。
【００３７】
まず、プロジェクタ１００が起動すると、プロジェクタ１００はリモートコントローラ１２０からのコードの受信待ちの状態をとる（ステップＳ２０１）。なお、受信待ちの状態は特定の時間経過後に解除し、ユーザがリモートコントローラ１２０あるいはプロジェクタ１００に設けられている任意のボタンを押下すると再び受信待ちの状態をとってもよい。
【００３８】
ステップＳ２０１にてリモートコントローラ１２０からのコードの受信が確認できた場合、カメラ２００が投写画像１３１を撮影する（ステップＳ２０２）。ステップＳ２０２の結果、投写画像１３１上にポインタ１３２が検出された場合、処理部１０９が、リモートコントローラ１２０からのコードに対応した処理を行う。
【００３９】
一方、ステップＳ２０２の結果、投写画像１３１上にポインタ１３２が検出されなかった場合には、処理部１０９は、リモートコントローラ１２０からのコードに対応した処理を行わない。
【００４０】
つまり、図４に示すフローチャートは、プロジェクタ１００を制御する制御方法である。
【００４１】
そして、この制御方法は、第１の入力手段であるリモートコントローラからの信号を取得する第１の取得ステップ（Ｓ２０１）と、リモートコントローラとは異なる第２の入力手段からの信号を取得する第２の取得ステップ（Ｓ２０２）を備える。
【００４２】
さらに、この制御方法は、第２の取得ステップで第２の入力手段からの信号を取得した場合に、第１の取得ステップによる取得結果に基づいて前記電子機器を制御する制御ステップ（Ｓ２０３）を備える。
【００４３】
言い換えれば、図４に示すフローチャートは第１の投写型表示装置と第２の投写型表示装置とを制御する制御方法である。
【００４４】
そして、この制御方法は、リモートコントローラからの信号を取得する第１の取得ステップ（Ｓ２０１）と、第１の投写型表示装置からの第１の投写画像と、第２の投写型表示装置からの第２の投写画像とを撮影する撮影ステップを備える。
【００４５】
さらに、この制御方法は、撮影ステップによる撮影結果が所定の結果であるかどうかを判断する第１の判断ステップ（Ｓ２０２）を備える。
【００４６】
第１の判断ステップによって撮影ステップによる撮影結果が所定の結果であると判断された場合を考える。図４に示す制御方法は、この場合に、第１の取得ステップによる取得結果に基づいて第１の投写型表示装置あるいは第２の投写型表示装置の少なくとも一方を制御する制御ステップ（Ｓ２０３）を備える。
【００４７】
このように、プロジェクタ１００は、リモートコントローラ１２０からの信号を取得する第１の受信部１０７と、投写画像を撮影するカメラ２００からの信号を取得する第２の受信部１０９と、を備える。さらに、プロジェクタ１００は、第２の受信部１０９がカメラ２００からの信号を取得した場合に、第１の受信部１０７による取得結果に基づいてプロジェクタ１００を制御する処理部１０８を備える。
【００４８】
より具体的には、プロジェクタ１００は、リモートコントローラ１２０からの信号を取得する第１の受信部（第１の取得手段）１０７と、投写画像を撮影するカメラ（撮影手段）２００からの信号を取得する第２の受信部（第２の取得手段）１０９と、を備える。
【００４９】
さらに、プロジェクタ１００は、カメラ２００が所定の状態にある投写画像を撮影した場合に、リモートコントローラからの信号に基づいてプロジェクタ１００を制御する処理部（制御手段）１０８を備える。
【００５０】
上述の構成により、ユーザがリモートコントローラを用いて行う操作を簡略化することで、ユーザの負担をより低減することが可能な電子機器を提供することができる。
【００５１】
特に、複数の電子機器を一つのリモートコントローラで操作する状況において、操作したい電子機器を変更したい場合に、ユーザの負担をより低減することが可能な電子機器を提供することができる。
【００５２】
〔第２実施例〕
図５を用いて本発明の第２実施例について説明する。
【００５３】
前述の第１実施例においては本実施例ではリモートコントローラ１２０からのコードの受信を処理開始のキーとした。しかしながら、本実施例においては、ポインタ１３２の検出を処理開始のキーとしてポインタ検出後、所定の間、リモートコントローラからのコードの受信を待つ状態とする。
【００５４】
具体的には、図５に示すように、まずはカメラ２００が投写画像１３１を撮像してポインタ１３２が投写画像１３１上にあるかどうかを判断する（ステップＳ２２１〜Ｓ２２２）。ポインタ１３２が検出されない場合には、カメラ２００は再び撮像を行う。
【００５５】
ポインタ１３２が検出された場合、不図示の時間計測部（第３の取得手段）が、ポインタ１３２を検出した時点を０秒として経過時間の計測を開始し、リモートコントローラ１２０からのコードを受信しているかを判断する（ステップＳ２２３〜Ｓ２２４）。
【００５６】
コードの受信を確認できなかった場合、特定時間経過したかどうかを判断する（ステップＳ２２６）。特定時間経過していなかった場合、再びコードを受信しているかどうかを判断してコードの受信が確認できたら、そのコードに対応した処理を実行する（ステップＳ２２５）。一方、コードの受信を確認できず、かつ、特定時間経過した場合には再びカメラ２００が撮像を行う。
【００５７】
つまり、図５に示すフローチャートはプロジェクタ１００を制御する制御方法である。
【００５８】
そして、この制御方法は、第２の取得ステップ（Ｓ２２２）でカメラ（第２の入力手段）２００からの信号を取得した場合に、第２の取得ステップでカメラ２００からの信号を取得してからの時間を取得する第３の取得ステップ（Ｓ２２３）を備える。
【００５９】
さらに、この制御方法は、第３の取得ステップによる取得結果が、所定の時間以内であるかどうかを判断する判断ステップ（Ｓ２２６）を備える。
【００６０】
そして、判断ステップによって第３の取得ステップによる取得結果が所定の時間以内であると判断され、かつ、第１の取得ステップ（Ｓ２２４）でリモートコントローラからの信号を取得した場合を考える。この場合、制御ステップ（Ｓ２２５）は、第１の取得ステップによる取得結果に基づいてプロジェクタ１００を制御する。
【００６１】
一方、判断ステップによって第３の取得ステップによる取得結果が所定の時間を超えたと判断され、かつ、第１の取得ステップが前記リモートコントローラからの信号を取得しなかった場合を考える。
【００６２】
この場合、第２の取得ステップはカメラ２００からの信号を再び取得する。
【００６３】
このように、本実施例においては、プロジェクタ１００が、第２の受信部１０９がカメラ２００からの信号を取得してからの時間を取得する時間計測部を備える。そして、処理部１０８は、時間計測部による取得結果が所定の時間以内であり、かつ、第１の受信部１０７がリモートコントローラ１２０からの信号を取得した場合に、リモートコントローラ１２０からの信号に基づいてプロジェクタ１００を制御する。さらに、カメラ２００は、時間計測部による取得結果が所定の時間を超え、かつ、第１の受信部１０７がリモートコントローラ１２０からの信号を取得しなかった場合に、第２の受信部１０９からの信号を取得する。
【００６４】
すなわち、特定時間が経過するまではリモートコントローラ１２０からのコードを待つ待機状態を取り、特性時間が経過したら待機状態を解除する。
【００６５】
仮に、複数のプロジェクタを用いている場合に、本実施例の構成とは異なり特定時間が経過しても待機状態を取り続ける場合を考える。
【００６６】
この場合、特定時間の経過後は複数のプロジェクタがリモートコントローラ１２０からのコードを待つ待機状態を取ってしまい、そのような状況でユーザがリモートコントローラ１２０を操作したとする。すると、ユーザはある１台のプロジェクタを操作したいにも関わらず、複数のプロジェクタが同時に操作されてしまい、ユーザが意図していない調整が行われてしまうおそれがある。
【００６７】
本実施例で示すように、特定時間が経過するまではリモートコントローラ１２０からのコードを待つ待機状態を取り、特性時間が経過したら待機状態を解除する構成を取る。これにより、上述のユーザが意図していない調整が行われてしまうことを抑制することが可能となる。
【００６８】
さらに、本実施例においても前述の第１実施例と同様に、ユーザが操作したいプロジェクタを変更したい場合に、ユーザがリモートコントローラを用いて行う操作が複雑化することを抑制してユーザの負担をより低減することが可能となる。
【００６９】
なお、本実施例においてはリモートコントローラ１２０からのコードの受信を確認できなかった場合に特定時間が経過したかどうかを判断する構成を例示したが、本実施例はこれに限定されるものではない。リモートコントローラ１２０からのコードの受信を確認できなかった段階でポインタの検出を再度行い、その結果、ポインタが検出された場合には、経過時間をリセットし、再度時間の計測を開始しても良い。
【００７０】
また、本実施例においては、ポインタが検出されるまでカメラ２００による投写画像１３１の撮像を繰り返す構成を例示したが、本発明はこれに限定されるものではない。例えば、カメラ２００が特定の回数撮像を行っても投写画像１３１上にポインタ１３２を検出できなかった場合には、図５に示すフローを終了し、さらにフローの終了から特定の時間経過後に再びカメラ２００が投写画像１３１を撮像する構成であってもよい。
【００７１】
〔第３実施例〕
図６及び図７を用いて本発明の第３実施例について説明する。
【００７２】
図６に示すように、本実施例はプロジェクタ１００が投写画像１３１を２分割して左側１４１と右側画面１４２とを個々に表示するＰｂｙＰ（Ｐｉｃｔｕｒｅ  ｂｙ  Ｐｉｃｔｕｒｅ）方式に関する実施例である。
【００７３】
投写画像１３１の左上端を原点とし、下方向をｙ軸方向、横方向をｘ軸方向とする。このとき、ｘ座標が０からｘｍａｘの領域とｙ座標が０からｙｍａｘまでの領域とが重なる領域が投写画像１３１である。
【００７４】
また、ｘ座標が０からｘｈａｌｆの領域とｙ座標が０からｙｍａｘまでの領域とが重なる領域が左側画面１４１であり、ｘ座標がｘｈａｌｆからｘｍａｘの領域とｙ座標が０からｙｍａｘまでの領域とが重なる領域が右側画面１４２である。
【００７５】
ただし、プロジェクタが机面ではなく、プロジェクタの底面が天井と対面するように吊るされている場合には、ｙ軸方向とｘ軸方向の定義を適宜変更してもよい。
【００７６】
図７に示すように、リモートコントローラ１２０からのコードを受信し、カメラ２００が投写画像１３１を撮像してポインタ１３２があるかどうかを検出するまでは前述の第１実施例と同様である（ステップＳ２０１〜２０３）。
【００７７】
ポインタ１３２が検出された場合、本実施例においてはポインタ１３２の座標（ｘ，ｙ）を検出する（ステップＳ２３１）。
【００７８】
次に、ステップＳ２３１で検出したポインタ座標が左側画面１４１上にあるか、あるいは右側画面１４２上にあるかどうかを判断する。具体的には、ポインタ１３２のｘ軸方向の座標ｘが０≦ｘ≦ｘｈａｌｆを満たし、かつ、ポインタ１３２のｙ軸方向の座標ｙが０≦ｙ≦ｙｍａｘを満たす場合には、ポインタ１３２が左側画面１４１上にあると判断する（ステップＳ２３２〜Ｓ２３３）。
【００７９】
そして、ポインタ１３２が左側画面１４１上にあると判断すると、左側画面１４１に対してリモートコントローラ１２０からのコードに対応した処理を行う（ステップＳ２３４）。すなわち、ユーザが左側画面１４１の明るさ等を調整したい場合には、ポインタを左側画面１４１上に表示した上で、リモートコントローラ１２０を操作すればよい。
【００８０】
一方、ポインタ１３２のｘ軸方向の座標ｘがｘｈａｌｆ＜ｘ≦ｘｍａｘを満たし、かつ、ポインタ１３２のｙ軸方向の座標ｙが０≦ｙ≦ｙｍａｘを満たす場合には、ポインタ１３２が右側画面１４２上にあると判断する（ステップＳ２３５〜Ｓ２３６）。
【００８１】
そして、ポインタ１３２が右側画面１４２上にあると判断すると、右側画面１４２に対してリモートコントローラ１２０からのコードに対応した処理を行う（ステップＳ２３７）。すなわち、ユーザが右側画面１４２の明るさ等を調整したい場合には、ポインタを右側画面１４２上に表示した上で、リモートコントローラ１２０を操作すればよい。
【００８２】
なお、ポインタ１３２のｘ軸方向の座標ｘが０≦ｘ≦ｘｈａｌｆを満たすが、ポインタ１３２のｙ軸方向の座標ｙが０≦ｙ≦ｙｍａｘを満たさない場合、すなわち、ポインタ１３２が投写画像１３１よりも外側で検出された場合を考える。
【００８３】
このような場合には、左側画面１４１及び右側画面１４２のいずれに対してもリモートコントローラ１２０からのコードに対応した処理を行わない。
【００８４】
ポインタ１３２のｘ軸方向の座標ｘがｘｈａｌｆ＜ｘ≦ｘｍａｘを満たすが、ポインタ１３２のｙ軸方向の座標ｙが０≦ｙ≦ｙｍａｘを満たさない場合も同様である。また、ポインタ１３２のｘ軸方向の座標ｘが０≦ｘ≦ｘｈａｌｆもｘｈａｌｆ＜ｘ≦ｘｍａｘも満たさない場合も同様である。
【００８５】
なお、ポインタ座標を除くｘｈａｌｆ、ｘｍａｘ、ｙｍａｘは不図示の記憶部が記憶しておいてもよく、カメラ２００が投写画像１３１を撮影することで、各座標を取得してもよい。
【００８６】
つまり、図７で示すフローチャートは、複数のプロジェクタを制御する制御方法である。
【００８７】
この制御方法においては、第１の判断ステップ（Ｓ２０３）によって、撮影ステップ（Ｓ２０２）による第１の投写画像あるいは第２の投写画像の所定の領域の撮影結果が所定の結果であると判断された場合を考える。
【００８８】
この場合、制御ステップ（Ｓ２３４、Ｓ２３７）は、第１の取得ステップによる取得結果に基づいて第１の投写型表示装置あるいは第２の投写型表示装置の少なくとも一方を制御する。
【００８９】
このように、本実施例において、制御手段は、第２の取得手段が投写画像のうち所定の領域が所定の状態であることを取得した場合に、リモートコントローラからの信号に基づいて投写型表示装置を制御する。より具体的には、制御手段は、所定の領域に表示されている画像の状態をリモートコントローラからの信号に基づいて制御する。
【００９０】
ここで、制御手段とは処理部１０８であり、第２の取得手段とは第２の受信部１０９である。また、所定の状態とはレーザーポインタからの光による画像が表示されている状態を示す。
【００９１】
上述の構成により、ＰｂｙＰ方式時であってもユーザの負担をより低減することが可能な電子機器を提供することである。
【００９２】
逆に、ＰｂｙＰ方式時に上述の構成を適用しない場合にユーザがリモートコントローラ１２０で操作する画面を変更したいときには、例えば、ユーザがリモートコントローラを操作して調整したい画面を選択する必要がある。すなわち、ユーザがリモートコントローラを用いて行う操作が複雑になり、ユーザの負担が増加するおそれがある。
【００９３】
なお、本実施例においては投写画像１３１の左上端を原点としてポインタ位置を検出する構成を例示したが本発明はこれに限定されるものではなく、ポインタ位置の原点は適宜変更してもよい。
【００９４】
また、ＰｉｎＰ（Ｐｉｃｔｕｒｅ  ｉｎ  Ｐｉｃｔｕｒｅ）方式の場合においても、本実施例のように、ポインタの座標が所定の範囲内であるかどうかを判断することで操作する画面を選択する構成を適用することが好ましい。
【００９５】
また、本実施例ではリモートコントローラからのコードの受信を処理開始のキーとして説明した。しかし、前述の第２実施例のように、ポインタの検出を処理開始のキーとしてポインタ検出後、所定の間、リモートコントローラからのコードの受信を待つ状態としてもよい。
【００９６】
〔第４実施例〕
図８及び図９を用いて本発明の第４実施例について説明する。
【００９７】
図８に示すように、本実施例はスレーブプロジェクタ３００の上にマスタプロジェクタ１００を設置し、両プロジェクタからの投写画像を重ねるスタック投影に関する実施例である。
【００９８】
なお、マスタプロジェクタ１００及びスレーブプロジェクタ３００間はケーブル４００で有線接続されているが、無線接続であってもよい。
【００９９】
また、スタック投影を開始する情報をマスタプロジェクタ１００に伝えるためのボタンが、マスタプロジェクタ１００あるいはリモートコントローラ１２０に設けられていても良い。これにより、マスタプロジェクタ１００は自らがスタック投影を行っていることを示す情報を取得することが可能となる。
【０１００】
第２の入力手段としてカメラ（撮影手段）２００はマスタプロジェクタ１００と一体に設けられているが、カメラ２００はスレーブプロジェクタ３００と一体に設けられていてもよい。さらに、マスタプロジェクタ１００及びスレーブプロジェクタ３００の双方がカメラ２００を有していてもよい。あるいは、カメラ２００はマスタプロジェクタ１００及びスレーブプロジェクタ３００とは別体に設けられており、天井等に設けられていてもよい。
【０１０１】
図９に示すように、リモートコントローラ１２０からのコードを受信し、カメラ２００が投写画像１３１を撮像してポインタ１３２があるかどうかを検出するまでは前述の第１実施例と同様である（ステップＳ２０１〜２０３）。
【０１０２】
ポインタ１３２が検出された場合、本実施例おいては図８に示す中心線Ｃよりも上側にポインタがあるかどうかを判断する（ステップＳ２４１）。中心線Ｃよりも上側で検出された場合には、マスタプロジェクタ１００がリモートコントローラ１２０からのコードに対応した処理を実行する。すなわち、ユーザがマスタプロジェクタ１００を操作したい場合には、投写画像の上側にポインタを表示すれば良い。
【０１０３】
なお、中心線Ｃは投写画像１３１を上下に均等に分割する中心線であり、本実施例において上側とは天井方向を示し、下側とは床面方向を示す。
【０１０４】
ただし、プロジェクタが机面ではなく、プロジェクタの底面が天井と対面するように吊るされている場合には、上側と下側の定義を適宜変更してもよい。
【０１０５】
一方、中心線Ｃよりも下側にポインタが検出された場合には、スレーブプロジェクタ３００がリモートコントローラ１２０からのコードに対応した処理を実行する（ステップＳ２４４）。すなわち、ユーザがスレーブプロジェクタ３００を操作したい場合には、投写画像の下側にポインタを表示すれば良い。
【０１０６】
つまり、図９に示すフローチャートは複数のプロジェクタを制御する制御方法である。
【０１０７】
この制御方法は、不図示ではあるが、マスタプロジェクタ（第１の投写型表示装置
１００及びスレーブプロジェクタ（第２の投写型表示装置）３００の少なくとも一方にスタック投影を行うことを伝える第１の伝達ステップを備える。
【０１０８】
そして、第１の投写画像と第２の投写画像との少なくとも一部が重なっている領域を重畳領域とするとき、撮影ステップ（Ｓ２０２）による重畳領域の所定の領域の撮影結果が所定の結果である場合を考える。
【０１０９】
この場合、制御ステップ（Ｓ２４２，Ｓ２４４）は、第１の投写型表示装置及び第２の投写型表示装置のうち、所定の領域に対応する方を制御する。
【０１１０】
このように、本実施例においては、投写型表示装置が、投写型表示装置からの第１の投写画像と、投写型表示装置とは異なる第２の投写型表示装置からの第２の投写画像とが、前記被投写面に表示されていることを示す情報を取得する。さらに、投写型表示装置が、第１の投写画像と前記第２の投写画像との一部が重なっていることを示す情報を取得する。
【０１１１】
そして、第１の投写画像と第２の投写画像との少なくとも一部が重なっている領域を重畳領域とし、第２の取得手段が、重畳領域の所定の領域が所定の状態であることを示す情報を取得する。
【０１１２】
上記の場合、制御手段は、リモートコントローラからの信号に基づいて投写型表示装置を制御する。
【０１１３】
ここで、投写型表示装置はマスタプロジェクタ１００であり、第２の投写型表示装置はスレーブプロジェクタ３００である。また、第１の投写画像とはマスタプロジェクタ１００からの投写画像であり、第２の投写画像とはスレーブプロジェクタ３００からの投写画像である。
【０１１４】
そして、重畳領域とはマスタプロジェクタ１００からの投写画像とスレーブプロジェクタ３００からの投写画像を重ねて表示している投写画像１３１である。このため、重畳領域の所定の領域とは、投写画像１３１の所定の領域を示す。具体的には、中心線Ｃを基準に投写画像１３１の上側を所定の領域とし、この領域が所定の状態であるときに、マスタプロジェクタ１００内の処理部がリモートコントローラ１２０からの信号に基づく処理を行う。なお、所定の状態とはレーザーポインタからの光による画像が表示されている状態を示す。
【０１１５】
上述の構成により、スタック投影時であってもユーザの負担をより低減することが可能な電子機器を提供することである。
【０１１６】
逆に、スタック投影時に上述の構成を適用しない場合にユーザがリモートコントローラ１２０で操作するプロジェクタを変更したいときには、例えば、ユーザがリモートコントローラの番号を操作したいプロジェクタの番号と一致するように変更する必要がある。すなわち、ユーザがリモートコントローラを用いて行う操作が複雑になり、ユーザの負担が増加するおそれがある。
【０１１７】
なお、本実施例においては中心線Ｃを基準に上側と下側に分割する構成を例示したが、必ずしも投写画像の中心で分割する必要はなく、ユーザが分割の基準となる線の位置を適宜設定可能な構成などであってもよい。
【０１１８】
また、本実施例ではリモートコントローラからのコードの受信を処理開始のキーとして説明した。しかし、前述の第２実施例のように、ポインタの検出を処理開始のキーとしてポインタ検出後、所定の間、リモートコントローラからのコードの受信を待つ状態としてもよい。
【０１１９】
〔第５実施例〕
図１０及び図１１を用いて本発明の第５実施例について説明する。
【０１２０】
図１０に示すように、本実施例は左側プロジェクタ１００Ｌからの投写画像１３１Ｌと、右側プロジェクタ１００Ｒからの投写画像１３１Ｒとを繋げて表示するマルチ投影に関する実施例である。なお、左側プロジェクタ１００Ｌ及び右側プロジェクタ１００Ｒ間は無線接続しているが、有線接続であってもよい。
【０１２１】
また、マルチ投影を開始する情報を左側プロジェクタ１００Ｌに伝えるためのボタンが、左側プロジェクタ１００Ｌあるいはリモートコントローラ１２０に設けられていても良い。これにより、左側プロジェクタ１００Ｌは自らがマルチ投影を行っていることを示す情報を取得することが可能となる。
【０１２２】
マルチ投影を行う際には一般的にエッジブレンディングが行われる。左側投写画像１３１Ｌと右側投写画像１３１Ｒとが重ならずに隣接している場合には、両投写画像間の僅かな隙間が目立ってしまう。また、このような僅かな隙間を無くすためには微細な調整が必要となってしまう。そこで、マルチ投影を行う際には左側投写画像１３１Ｌと右側投写画像１３１Ｒとを重ねることで前述の隙間を無くすことが可能となる。ただし、左側投写画像１３１Ｌ及び右側投写画像１３１Ｒの双方が投写画像全体に渡って均一な明るさであった場合、両投写画像が重ねっている領域だけがその他の領域よりも明るくなってしまう。
【０１２３】
そこで、左側投写画像１３１Ｌの右端部分は左側投写画像１３１Ｌの他の領域よりも暗くし、右側投写画像１３１Ｒの左端部分は右側投写画像１３１Ｒの他の領域よりも暗くして、両投写画像を重ねる。これにより、マルチ投影時に均一な明るさの投写画像を表示することが可能となる。
【０１２４】
より具体的には、左側投写画像１３１Ｌの右端部分は左側投写画像１３１Ｌの右端に近づくにつれて所定の関数に従い徐々に暗くなっている。また、右側投写画像１３１Ｒの左端部分は右側投写画像１３１Ｒの左端に近づくにつれて所定の関数に従い徐々に暗くなっている。
【０１２５】
本実施例においては、図１０に示すように左側投写画像１３１Ｌの右端部分と右側投写画像１３１Ｒの左端部分とが重なっている領域を、エッジブレンディング領域ＥＢとして示している。すなわち、左側投写画像１３１Ｌの右端部分とは、左側投写画像１３１Ｌのうち右側投写画像１３１Ｒと重なる部分である。また、右側投写画像１３１Ｒの左端部分とは、右側投写画像１３１Ｒのうち左側投写画像１３１Ｌと重なる部分である。
【０１２６】
図１１に示すように、リモートコントローラ１２０からのコードを受信し、カメラ２００が投写画像１３１を撮像してポインタ１３２があるかどうかを検出するまでは前述の第１実施例と同様である（ステップＳ２０１〜２０３）。
【０１２７】
ポインタ１３２が検出された場合、本実施例においては領域ＥＢ上にポインタ１３２があるかどうかを判断する（ステップＳ２５１）。領域ＥＢ上でポインタ１３２が検出された場合には、左側プロジェクタ１００Ｌ及び右側プロジェクタ１００Ｒともにリモートコントローラ１２０からのコードに基づく処理を行わない。
【０１２８】
一方、領域ＥＢ上にポインタ１３２が検出されない場合には、領域ＥＢを除く左側投写画像１３１Ｌ上にポインタ１３２があるかどうかを判断する（ステップＳ２５２）。領域ＥＢを除く左側投写画像１３１Ｌにポインタ１３２が検出された場合には、左側プロジェクタ１００Ｌがリモートコントローラ１２０からのコードに対応した処理を実行する（ステップＳ２５３）。
【０１２９】
すなわち、ユーザが左側プロジェクタ１００Ｌを操作したい場合には、領域ＥＢを除く左側投写画像１３１Ｌ上にポインタを表示した上で、リモートコントローラ１２０を操作すればよい。
【０１３０】
一方、領域ＥＢを除く左側投写画像１３１Ｌ上でポインタ１３２が検出されない場合には、次に、領域ＥＢを除く右側投写画像１３１Ｒ上にポインタがあるかどうかを判断する（ステップＳ２５４）。領域ＥＢを除く右側投写画像１３１Ｒにポインタ１３２が検出された場合には、右側プロジェクタ１００Ｒがリモートコントローラ１２０からのコードに対応した処理を実行する（ステップＳ２５５）。
【０１３１】
すなわち、ユーザが右側プロジェクタ１００Ｒを操作したい場合には、領域ＥＢを除く右側投写画像１３１Ｒ上にポインタを表示した上で、リモートコントローラ１２０を操作すればよい。
【０１３２】
また、領域ＥＢ、左側投写画像１３１Ｌ，右側投写画像１３１Ｒ上のいずれにもポインタ１３２が検出されない場合には、左側プロジェクタ１００Ｌ及び右側プロジェクタ１００Ｒともにリモートコントローラ１２０からのコードに基づく処理を行わない。
【０１３３】
つまり、図１１に示すフローチャートは複数のプロジェクタを制御する制御方法である。
【０１３４】
この制御方法は、不図示ではあるが、左側プロジェクタ（第１の投写型表示装置）１００Ｌ及び右側プロジェクタ（第２の投写型表示装置）１００Ｒの少なくとも一方にマルチ投影を行うことを伝える第２の伝達ステップを備える。
【０１３５】
そして、第１の投写画像と第２の投写画像との少なくとも一部が重なっている領域を重畳領域とする。このとき、撮影ステップ（Ｓ２０２）による重畳領域を除く第１の投写画像の撮影結果が所定の結果である場合に、制御ステップ（Ｓ２５３、Ｓ２５５）は左側プロジェクタ１００Ｌを制御する。
【０１３６】
一方、撮影ステップ（Ｓ２０２）による重畳領域を除く第２の投写画像の撮影結果が所定の結果である場合に、制御ステップ（Ｓ２５３，Ｓ２５５）は右側プロジェクタ１００Ｒを制御する。
【０１３７】
このように、本実施例においては、投写型表示装置が、投写型表示装置からの第１の投写画像と、投写型表示装置とは異なる第２の投写型表示装置からの第２の投写画像とが、前記被投写面に表示されていることを示す情報を取得する。さらに、投写型表示装置が、第１の投写画像と前記第２の投写画像との一部が重なっていることを示す情報を取得する。
【０１３８】
そして、第１の投写画像と第２の投写画像との少なくとも一部が重なっている領域を重畳領域とし、第２の取得手段が、第１の投写画像のうち重畳領域を除く領域が所定の状態であることを示す情報を取得する。
【０１３９】
上記の場合、制御手段は、リモートコントローラからの信号に基づいて投写型表示装置を制御する。
【０１４０】
本実施例において、投写型表示装置とは左側プロジェクタ１００Ｌであり、第１の投写画像とは左側投写画像１３１Ｌであり、第２の投写型表示装置とは右側プロジェクタ１００Ｒであり、第２の投写画像とは右側投写画像１３１Ｒである。
【０１４１】
また、重畳領域とはエッジブレンディング領域ＥＢである。そして、所定の領域が所定の状態にあるとは、その領域上にレーザーポインタからの光による画像が表示されている状態を示す。
【０１４２】
上述の構成により、マルチ投影時であってもユーザの負担をより低減することが可能な電子機器を提供することである。
【０１４３】
逆に、マルチ投影時に上述の構成を適用しない場合にユーザがリモートコントローラ１２０で操作するプロジェクタを変更したいときには、例えば、ユーザがリモートコントローラのＩＤを操作したいプロジェクタのＩＤと一致するように変更する必要がある。すなわち、ユーザがリモートコントローラを用いて行う操作が複雑になり、ユーザの負担が増加するおそれがある。
【０１４４】
なお、本実施例においては、領域ＥＢ上でポインタ１３２が検出された場合に、左側プロジェクタ１００Ｌ及び右側プロジェクタ１００Ｒともにリモートコントローラ１２０からのコードに基づく処理を行わない構成を例示した。しかしながら、本実施例はこれに限定されるものではなく、領域ＥＢ上でポインタ１３２が検出された場合には、例えば、左側プロジェクタ１００Ｌ及び右側プロジェクタ１００Ｒの双方がリモートコントローラ１２０からのコードに基づく処理を行ってもよい。このような構成において、ユーザが合成投写画像１３１Ｍの明るさ等を調整したい場合には、領域ＥＢ上にポインタを表示した上で、ユーザがリモートコントローラ１２０を操作すればよい。
【０１４５】
また、本実施例ではリモートコントローラからのコードの受信を処理開始のキーとして説明した。しかし、前述の第２実施例のように、ポインタの検出を処理開始のキーとしてポインタ検出後、所定の間、リモートコントローラからのコードの受信を待つ状態としてもよい。
【０１４６】
以上、本発明の好ましい実施形態について説明したが、本発明はこれらの実施形態に限定されず、その要旨の範囲内で種々の変形及び変更が可能である。
【０１４７】
〔他の実施形態〕
前述した実施例では、電子機器としてプロジェクタを例示したが、本発明はこれに限定されるものではない。リモートコントローラからの信号を無線で取得可能な電子機器であれば、プロジェクタ以外にも、例えばテレビやノートパソコン等であっても良い。
【０１４８】
また、前述した実施例では、第１の入力手段であるリモートコントローラとは異なる第２の入力手段としてレーザーポインタを用いた構成を例示したが、本発明はこれに限定されるものではない。第２の入力手段はレーザーポインタ以外にも、例えば、マイクとスピーカーであっても、ユーザの動作等であっても良い。
【０１４９】
また、前述した実施例では、リモートコントローラとレーザーポインタを別体に設けている構成を例示したが、本発明はこれに限定されるものではない。例えば、図１２に示すようにリモートコントローラとレーザーポインタが一体に設けられている構成などであってもよい。
【０１５０】
また、前述した実施例では、プロジェクタ１００とカメラ２００が一体となっている構成を例示したが、本発明はこれに限定されるものではない。カメラ２００はプロジェクタ１００と一体になっている必要はなく、例えば天井などにカメラ２００が設けられている構成であってもよい。
【符号の説明】
【０１５１】
１００  プロジェクタ（電子機器）
１０７  第１の受信部（第１の取得手段）
１０８  処理部（制御手段）
１０９  第２の受信部（第２の取得手段）
１２０  リモートコントローラ（第１の入力手段）
２００  カメラ（第２の入力手段）
【図１】
2016115993.tif 000003
【図２】
2016115993.tif 000004
【図３】
2016115993.tif 000005
【図４】
2016115993.tif 000006
【図５】
2016115993.tif 000007
【図６】
2016115993.tif 000008
【図７】
2016115993.tif 000009
【図８】
2016115993.tif 000010
【図９】
2016115993.tif 000011
【図１０】
2016115993.tif 000012
【図１１】
2016115993.tif 000013
【図１２】
2016115993.tif 000014